(57)【特許請求の範囲】
【請求項１】
内線電話機および外線が接続された通話路スイッチと、
前記通話路スイッチを制御して前記内線電話機および前記外線間の接続または前記内線電話機相互間の接続を制御する中央制御装置と、
前記内線電話機のオンフック中に前記内線電話機から入力されたダイヤル情報を記憶するとともに、外線発信、内線発信および機能発信のそれぞれに対応する表示情報を予め記憶する記憶装置とを備え、
前記中央制御装置は、前記内線電話機からオンフック中に発信識別情報およびダイヤル情報が入力されると、この発信識別情報およびダイヤル情報を受信して前記記憶装置に記憶するとともに前記内線電話機の状態をプリセットダイヤル状態として記憶し、前記記憶装置に記憶した発信識別情報およびダイヤル情報を解析して、前記発信識別情報が外線発信の場合には国内発信または国際発信の何れかを識別し、前記発信識別情報が内線発信の場合には内線発信または機能発信の何れかを識別し、この識別結果に応じた表示情報を前記記憶装置から読み出して前記内線電話機に接続された表示器に伝送することを特徴とする電話交換機。
【請求項２】
前記記憶装置は複数の相手外線番号に対応する通話料金情報を記憶し、前記中央制御装置はオンフック中に前記内線電話機から入力された発信識別情報が外線発信と識別すると、前記内線電話機から入力されたダイヤル情報が示す相手外線番号に対応した前記通話料金情報を前記記憶装置から読み出して前記内線電話機に接続された表示器に伝送することを特徴とする請求項１記載の電話交換機。
【請求項３】
前記記憶装置は複数の相手外線番号に対応する電気通信事業者名を記憶し、前記中央制御装置はオンフック中に前記内線電話機から入力された発信識別情報が外線発信と識別すると、前記内線電話機から入力されたダイヤル情報が示す相手外線番号に対応した前記電気通信事業者名を前記記憶装置から読み出して前記内線電話機に接続された表示器に伝送することを特徴とする請求項１記載の電話交換機。
【請求項４】
前記記憶装置は複数の相手内線番号に対応する内線名前情報を記憶し、前記中央制御装置はオンフック中に前記内線電話機から入力された発信識別情報が内線発信と識別すると、前記内線電話機から入力されたダイヤル情報が示す相手内線番号に対応した前記内線名前情報を前記記憶装置から読み出して前記内線電話機に接続された表示器に伝送することを特徴とする請求項１記載の電話交換機。
【請求項５】
前記記憶装置は電話交換機が有する各種機能に対応する機能名情報を記憶し、前記中央制御装置はオンフック中に前記内線電話機から入力されたダイヤル情報が前記機能を起動する機能発信と識別すると、前記ダイヤル情報が示す機能に対応した前記機能名情報を前記記憶装置から読み出して前記内線電話機に接続された表示器に伝送することを特徴とする請求項１記載の電話交換機。
【請求項６】
内線電話機および外線が接続された電話交換機の電話機表示制御方法であって、外線発信、内線発信および機能発信のそれぞれに対応する表示情報を予め記憶装置に記憶し、
前記内線電話機からオンフック中に発信識別情報およびダイヤル情報が入力されると、この発信識別情報およびダイヤル情報を受信して前記記憶装置に記憶するとともに前記内線電話機の状態をプリセットダイヤル状態として記憶し、前記記憶装置に記憶した発信識別情報およびダイヤル情報を解析して、前記発信識別情報が外線発信の場合には国内発信または国際発信の何れかを識別し、前記発信識別情報が内線発信の場合には内線発信または機能発信の何れかを識別し、この識別結果に応じた表示情報を前記記憶装置から読み出して前記内線電話機に接続された表示器に伝送し、
前記表示情報を前記内線電話機に接続された表示器においてオンフック中に表示することを特徴とする電話機表示制御方法。
【発明の詳細な説明】
【０００１】
【発明の属する技術分野】
本発明は、収容した内線電話機からのオンフック中のダイヤル操作（プリセットダイヤル）に対して内線電話機に接続された表示器に各種情報を表示する機能を有する電話交換機及び電話機表示制御方法に関する。
【０００２】
【従来の技術】
図９は、電話交換機による従来の内線電話機の制御手順を示すシーケンス図である。例えば多機能電話機を内線電話機として収容した電話交換機は、内線電話機で受話器を上げたりモニタ釦の押下によるオフフック起動操作により（ステップＶ１）、音源回路に内線発信音送出指示を出し（ステップＶ２）、内線電話機に内線発信音を送出する（ステップＶ３）。
【０００３】
内線電話機の操作者は電話交換機からの内線発信音を聴取するなどして、その発信可否を確認した後に、ダイヤル操作を行う（ステップＶ４）。電話交換機は内線電話機から送出されるダイヤル情報を受信し、必要に応じてダイヤル解析を行い（ステップＶ５）、外線発信や内線発信、さらには特番（電話交換機が有する各種機能を起動するダイヤル）による電話交換機機能の起動を行い、それらの機能に対応した表示情報を内線電話機に通知し（ステップＶ６）、その表示器へ表示する制御を行っている。
【０００４】
また、図１０は、従来のプリセットダイヤル時の制御手順を示すシーケンス図である。電話交換機はオンフック中に内線電話機からダイヤル情報が通知され（ステップＷ１）、内部で破棄し（ステップＷ２）、無効とする。そして、電話交換機はオフフック起動操作があると（ステップＷ３）、音源回路に内線発信音送出指示を出し（ステップＷ４）、内線電話機に内線発信音を送出する（ステップＷ５）。
【０００５】
このように、従来のプリセットダイヤル方法では、ダイヤル情報は電話交換機で記憶せず、内線電話機内部の記憶装置に記憶し、その後、内線電話機の発信操作によって一括して電話交換機に通知し、発信制御を行っている。
【０００６】
すなわち、従来はオンフック中のダイヤル操作によるダイヤル情報は、入力と同時に電話交換機に対して通知されず、内線電話機内部で記憶される。記憶方法は入力されたダイヤルと桁数（桁数は記憶しない場合もある）を内線電話機内部の記憶装置に蓄え、その後、発信操作によって記憶されているダイヤルと桁数とを電文として電話交換機に通知する。
【０００７】
ここで、オンフック状態とは、受話器を置いている状態やモニタ釦がオフの状態など電話機操作を何もしていない状態を指す。また、オフフック状態とは、受話器を上げている状態やモニタ釦がオンの状態を指し、電話機の状態としては内線ダイヤルトーン聴取中、ダイヤル中、通話中、保留中などの状態を指す。
【０００８】
【発明が解決しようとする課題】
前述した従来の電話交換機においては、内線電話機からプリセットダイヤル操作によって入力されたダイヤル情報をいち早く解析し、オフフック起動する前に操作者に対して起動する機能の表示情報を通知し、表示器に出力させる方法を備えていなかった。
【０００９】
従って、操作者はオフフック起動後のダイヤル入力でないと、電話交換機の機能内容を表示情報として見ることが出来ず、自分の操作が正しいかどうかの確認を、機能が起動する前にはできないという課題を有していた。
【００１０】
本発明は、このような従来の課題を解決するためになされたもので、内線電話機からオンフック中に入力されたダイヤル情報をいち早く解析し、解析結果を内線電話機に接続された表示器に表示することができる電話交換機及び電話機表示制御方法を提供することを目的とする。
【００１１】
【課題を解決するための手段】
本発明の電話交換機においては、内線電話機および外線が接続された通話路スイッチと、通話路スイッチを制御して内線電話機および外線間の接続または内線電話機相互間の接続を制御する中央制御装置と、内線電話機のオンフック中に内線電話機から入力されたダイヤル情報を記憶するとともに、外線発信、内線発信および機能発信のそれぞれに対応する表示情報を予め記憶する記憶装置とを備え、中央制御装置は、内線電話機からオンフック中に発信識別情報およびダイヤル情報が入力されると、この発信識別情報およびダイヤル情報を受信して記憶装置に記憶するとともに内線電話機の状態をプリセットダイヤル状態として記憶し、記憶装置に記憶した発信識別情報およびダイヤル情報を解析して、発信識別情報が外線発信の場合には国内発信または国際発信の何れかを識別し、発信識別情報が内線発信の場合には内線発信または機能発信の何れかを識別し、この識別結果に応じた表示情報を記憶装置から読み出して内線電話機に接続された表示器に伝送するものである。
【００１２】
本発明によれば、内線電話機からオンフック中に入力されたダイヤル情報をいち早く解析し、解析結果を内線電話機に接続された表示器に表示することができる電話交換機が得られる。
【００１３】
【発明の実施の形態】
本発明の請求項１に記載の電話交換機は、内線電話機および外線が接続された通話路スイッチと、通話路スイッチを制御して内線電話機および外線間の接続または内線電話機相互間の接続を制御する中央制御装置と、内線電話機のオンフック中に内線電話機から入力された発信識別情報およびダイヤル情報を記憶するとともに、外線発信、内線発信および機能発信のそれぞれに対応する表示情報を予め記憶する記憶装置とを備え、中央制御装置は、内線電話機からオンフック中に発信識別情報およびダイヤル情報が入力されると、この発信識別情報およびダイヤル情報を受信して記憶装置に記憶するとともに内線電話機の状態をプリセットダイヤル状態として記憶し、記憶装置に記憶した発信識別情報およびダイヤル情報を解析して、発信識別情報が外線発信の場合には国内発信または国際発信の何れかを識別し、発信識別情報が内線発信の場合には内線発信または機能発信の何れかを識別し、この識別結果に応じた表示情報を記憶装置から読み出して内線電話機に接続された表示器に伝送するものであり、プリセットダイヤルの解析結果を内線電話機に接続された表示器にオンフック中に表示可能とする作用を有する。
【００１５】
請求項２に記載の電話交換機は、請求項１に記載の発明において、記憶装置は複数の相手外線番号に対応する通話料金情報を記憶し、中央制御装置はオンフック中に内線電話機から入力された発信識別情報が外線発信と識別すると、内線電話機から入力されたダイヤル情報が示す相手外線番号に対応した通話料金情報を記憶装置から読み出して内線電話機に接続された表示器に伝送するものであり、プリセットダイヤルした相手先電話番号を元に算出した通話料金情報を、内線電話機の表示器にオンフック中に表示するという作用を有する。
【００１６】
請求項３に記載の電話交換機は、請求項１に記載の発明において、記憶装置は複数の相手外線番号に対応する電気通信事業者名を記憶し、中央制御装置はオンフック中に内線電話機から入力された発信識別情報が外線発信と識別すると、内線電話機から入力されたダイヤル情報が示す相手外線番号に対応した電気通信事業者名を記憶装置から読み出して内線電話機に接続された表示器に伝送するものであり、プリセットダイヤルした相手先電話番号を元に、契約している複数の電気通信事業者の中から利用する電気通信事業者名を、内線電話機の表示器にオンフック中に表示するという作用を有する。
【００１７】
請求項４に記載の電話交換機は、請求項１に記載の発明において、記憶装置は複数の相手内線番号に対応する内線名前情報を記憶し、中央制御装置はオンフック中に内線電話機から入力された発信識別情報が内線発信と識別すると、内線電話機から入力されたダイヤル情報が示す相手内線番号に対応した内線名前情報を記憶装置から読み出して内線電話機に接続された表示器に伝送するものであり、プリセットダイヤルした相手内線名を内線電話機の表示器にオンフック中に表示するという作用を有する。
【００１８】
請求項５に記載の電話交換機は、請求項１に記載の発明において、記憶装置は電話交換機が有する各種機能に対応する機能名情報を記憶し、中央制御装置はオンフック中に内線電話機から入力されたダイヤル情報が機能を起動する機能発信と識別すると、ダイヤル情報が示す機能に対応した機能名情報を記憶装置から読み出して内線電話機に接続された表示器に伝送するものであり、プリセットダイヤルした機能名を内線電話機に接続された表示器にオンフック中に表示するという作用を有する。
【００１９】
請求項６に記載の電話機表示制御方法は、外線発信、内線発信および機能発信のそれぞれに対応する表示情報を予め記憶装置に記憶し、内線電話機からオンフック中に発信識別情報およびダイヤル情報が入力されると、この発信識別情報およびダイヤル情報を受信して記憶装置に記憶するとともに内線電話機の状態をプリセットダイヤル状態として記憶し、記憶装置に記憶した発信識別情報およびダイヤル情報を解析して、発信識別情報が外線発信の場合には国内発信または国際発信の何れかを識別し、発信識別情報が内線発信の場合には内線発信または機能発信の何れかを識別し、この識別結果に応じた表示情報を記憶装置から読み出して内線電話機に接続された表示器に伝送し、この表示情報を内線電話機に接続された表示器においてオンフック中に表示するものであり、プリセットダイヤルの解析結果を内線電話機に接続された表示器にオンフック中に表示するという作用を有する。
【００２４】
以下、本発明の実施の形態について、図１〜図８を参照しながら説明する。
【００２５】
（実施の形態１）
図１は、本発明による電話交換機の一実施の形態を示すブロック図で、電話交換機１を介して複数の内線電話機２および外線３が接続されている。内線電話機２は、例えばＬＣＤ（液晶表示装置）構成の表示器２ａを備えている。なお、この表示器２ａは内線電話機２に外付けされているものでもよい。
【００２６】
電話交換機１は音声データを交換する機能を備えた通話路スイッチ４、機器全体の制御を行う中央制御装置５、本発明の電話機表示制御方法を実現するために必要なデータを記憶するための記憶装置（メモリ）６、内線電話機２と通話路スイッチ４を接続する内線インターフェイス回路７、外線３と通話路スイッチ４を接続する外線インタフェース回路８を備えている。
【００２７】
図２〜図５はメモリ６の内部構成を示す図で、図２は電話交換機１に接続された内線電話機２毎に複数面確保されたデータ領域を表している。
【００２８】
同図において、電話機状態６Ａは各内線電話機２の状態を状態番号で管理するもので、例えば無操作時の状態を表すアイドル状態は「００」、プリセットダイヤル状態は「０１」、ダイヤルトーン聴取状態は「０２」、通話状態は「０６」などである。
【００２９】
発信識別情報６Ｂはプリセットダイヤルとして通知されたダイヤル情報が国内および国際網への外線発信なのか内線発信なのかを識別する。また、ダイヤルエリア６Ｃは内線電話機２からのプリセットダイヤル情報を蓄積記憶し、オフフック起動によって本エリアのダイヤル情報が相手発信ダイヤルとして読み出されるようになっている。
【００３０】
図３は、図２で示した発信識別情報６Ｂが外線発信である場合において、プリセットダイヤルとしてダイヤルエリア６Ｃに蓄積されたダイヤル情報と、相手外線番号とを比較し、一致したダイヤルから通話料金情報や電気通信事業者名を読み出し、その内容を内線電話機２に表示するための情報を表している。
【００３１】
同図において、アドレスａ１，ｂ１，…，ｚ１は相手外線番号ａ，ｂ，…，ｚに対応し、各相手外線番号ａ，ｂ，…，ｚには、通話料金情報ａ，ｂ，…，ｚと電気通信事業者名ａ，ｂ，…，ｚとが記憶されている。
【００３２】
図４は、図２で示した発信識別情報６Ｂが内線である場合において、プリセットダイヤルとしてダイヤルエリア６Ｃに蓄積されたダイヤル情報と、相手先内線番号とを比較し、一致したダイヤルから内線名前情報を読み出し、その内容を内線電話機２に表示するための情報を表している。
【００３３】
同図において、アドレスａ２，ｂ２，…，ｚ２は相手内線番号ａ，ｂ，…，ｚに対応し、各相手内線番号ａ，ｂ，…，ｚには、内線名前情報ａ，ｂ，…，ｚが記憶されている。
【００３４】
図５は、図２で示した発信識別情報６Ｂが内線である場合において、プリセットダイヤルとしてダイヤルエリア６Ｃに蓄積されたダイヤル情報と、相手先内線番号とを比較する前に、入力されたダイヤル情報と特番として記憶されているダイヤル情報を比較し、一致したダイヤル情報から特番機能を求め、その特番機能名情報を内線電話機２に表示するための情報を表している。
【００３５】
同図において、アドレスａ３，ｂ３，…，ｚ３は機能特番ａ，ｂ，…，ｚに対応し、各機能特番ａ，ｂ，…，ｚには、特番機能名情報ａ，ｂ，…，ｚが記憶されている。
【００３６】
次に、本発明の電話機表示制御方法について、図６〜図８に示すシーケンス図を参照しながら説明する。
【００３７】
まず、図６に示すシーケンス図を用いて、プリセットダイヤルが自国内への外線発信（市内、市外を含む国内発信を意味する）か、自国外への外線発信（国際発信を意味する）かを識別して表示指示するための制御手順を説明する。
【００３８】
内線電話機２が国内発信か国際発信かを識別することができる釦操作を行うと（ステップＳ１）、キー入力情報が電話交換機１内の中央制御装置５に通知される（ステップＳ２）。これに対し、中央制御装置５は操作された釦に対応した識別情報をメモリ６に発信識別情報６Ｂとして記憶する（ステップＳ３）。
【００３９】
さらに、メモリ６の電話機状態６Ａをアイドル状態からプリセットダイヤル状態へ遷移させる（ステップＳ４）。続いて、内線電話機２から操作されたダイヤル情報が中央制御装置５へ通知される（ステップＳ５）。
【００４０】
中央制御装置５は、すでに記憶されている発信識別情報６Ｂをメモリ６から読み出し（ステップＳ６）、これを元に国内発信か国際発信かを認識し、その発信識別に基づいた相手番号検索と照合を行う（ステップＳ７）。それと同時にメモリ６のダイヤルエリア６Ｃにプリセットダイヤル情報として入力ダイヤル情報を記憶する（ステップＳ８）。
【００４１】
ここで、内線電話機２から入力されたダイヤル情報とメモリ６に記憶されている相手番号情報との比較結果が一致した場合、中央制御装置５はメモリ６に記憶されている一致した相手外線番号に対応する通話料金情報と、電気通信事業者選択を行うとした場合に選択された電気通信事業者名を読み出し（ステップＳ９）、表示指示情報として内線電話機２に通知する（ステップＳ１０）。
【００４２】
表示指示情報を受け取った内線電話機２は、その内容に基づいて表示器２ａに通話料金情報と電気通信事業者を表示し（ステップＳ１１）、プリセットダイヤル表示制御を完了する。
【００４３】
その後、内線電話機２がオフフック起動を行った場合（ステップＳ１２）、オフフック信号が中央制御装置５に通知される（ステップＳ１３）。中央制御装置５はメモリ６から電話機状態６Ａを読み出し（ステップＳ１４）、その結果、プリセットダイヤル状態であれば、さらにメモリ６のダイヤルエリア６Ｃにプリセットダイヤル情報として蓄積されていたダイヤル全桁を読み取り（ステップＳ１５）、捕捉した外線３にダイヤル情報を送出する。
【００４４】
以上のように、電話交換機１に収容された内線電話機２の操作者が外線発信のプリセットダイヤル操作を行い、そのダイヤル解析を可能とする中央制御装置５とメモリ６とを設け、図６に示した一連の電話機表示制御方法によりプリセットダイヤル表示制御を行うことにより、プリセットダイヤルに対する外線通話料金情報や、利用する電気通信事業者名を発信前に内線電話機２に表示させることができる。
【００４５】
このため、操作者は外線発信時の通話料金を事前に認識することができ、通話料金を節約することができる。また、複数の電気通信事業者と契約している場合でも、どの事業者の回線網を利用するかが事前に明確になり、望ましい事業者でない場合は、内線電話機の釦操作によって変更、取り消し等の操作を任意に行うことができ、利用者の希望する外線発信を選択することができる。
【００４６】
（実施の形態２）
次に、図７に示すシーケンス図を用いて、内線電話機２の特番操作により内線電話機２へ表示情報を通知するプリセットダイヤル時の電話機表示制御方法について説明する。
【００４７】
まず、内線電話機２がプリセットダイヤルにより内線発信を行うための釦操作を行うと（ステップＴ１）、キー入力情報（ステップＴ２）が電話交換機１内の中央制御装置５に通知される。
【００４８】
これに対し、中央制御装置５は操作された釦に対応した識別情報をメモリ６に発信識別情報６Ｂとして記憶する（ステップＴ３）。そして、電話機状態６Ａをアイドル状態からプリセットダイヤル状態へ遷移させる（ステップＴ４）。
【００４９】
続いて内線電話機２で操作されたダイヤルは、ダイヤル情報として中央制御装置５へ通知される（ステップＴ５）。中央制御装置５は既に記憶されている発信識別情報６Ｂをメモリ６から読み出し（ステップＴ６）、これを元に内線発信操作であることを認識し、メモリ６に記憶されている機能特番検索と入力されたダイヤル情報との照合を行い（ステップＴ７）、それと同時にメモリ６のダイヤルエリア６Ｃにプリセットダイヤル情報として入力された特番を記憶する（ステップＴ８）。
【００５０】
次に、ダイヤル照合の結果、一致するものがあれば、その一致したダイヤルに対する特番機能名情報をメモリ６から読み出し（ステップＴ９）、表示指示情報として内線電話機２に通知する（ステップＴ１０）。表示情報を受け取った内線電話機２は、その内容に基づいて表示器２ａに表示を行い（ステップＴ１１）、プリセットダイヤル表示制御を完了する。
【００５１】
その後、内線電話機２のオフフック起動（ステップＴ１２）により、オフフック情報が中央制御装置５に通知される（ステップＴ１３）。中央制御装置５はメモリ６の電話機状態６Ｂを読み出し（ステップＴ１４）、プリセットダイヤル状態であれば、ダイヤルエリア６Ｃに記憶されている特番を読み出し（ステップＴ１５）、その特番に対応する電話内線交換機の特番機能を起動する（ステップＴ１６）。
【００５２】
以上のように、電話交換機１内の内線電話機２が特番操作を行い、そのダイヤル解析を可能とする中央制御装置５とメモリ６を設け、図７に示した一連の電話機表示制御方法によりプリセットダイヤル表示制御を行うことにより、プリセットダイヤルに対する特番機能名を機能起動前に内線電話機２に表示させることができる。
【００５３】
（実施の形態３）
次に、図８に示すシーケンス図を用いて、内線電話機２から他の内線電話機２へ発信を行う場合、発信者側の内線電話機２へ表示情報を通知するプリセットダイヤル時の電話機表示制御方法について説明する。
【００５４】
まず、内線電話機２の操作方法は、図７に示したシーケンス図の特番操作と同様であるが（ステップＴ１〜Ｔ６）、入力ダイヤルと特番ダイヤルの検索照合結果が不一致となった場合は、次に電話交換機１の相手先内線番号の検索照合を行う（ステップＵ１）。
【００５５】
ここで相手内線が一致すれば、その内線名前情報をメモリ６から読み出し（ステップＵ２）、表示指示情報として内線電話機２に通知する（ステップＵ３）。表示情報を受け取った内線電話機２はその内容に基づいて、表示器２ａに表示を行い（ステップＵ４）、プリセットダイヤル表示制御を完了する。
【００５６】
その後、プリセットダイヤルを行った内線電話機２のオフフック起動（ステップＵ５）により、オフフック信号が中央制御装置５に通知される（ステップＵ６）。中央制御装置５はメモリ６の電話機状態を読み出し（ステップＵ７）、プリセットダイヤル状態であれば、続いてプリセットダイヤル情報としてメモリ６に蓄積されたダイヤルを読み出し（ステップＵ８）、相手内線電話機の呼び出しを行って（ステップＵ９）、内線発信を確立する。
【００５７】
以上のように、電話交換機１内の内線電話機２が相手内線番号をプリセットダイヤルし、そのダイヤル解析を可能とする中央制御装置５とメモリ６を設け、図８に示した一連の電話機表示制御方法によりプリセットダイヤル表示制御を行うことにより、プリセットダイヤルに対する相手内線名を呼び出し前に発信側の内線電話機２に表示させることができる。
【００５８】
【発明の効果】
本発明によれば、内線電話機からのプリセットダイヤル操作によって入力されたダイヤル情報を解析し、その解析結果に応じた表示情報を内線電話機に接続された表示器に表示することができるので、内線電話機の操作者にとっては、表示された表示内容をダイヤル操作の結果として可視情報によって確認することができ、誤操作や誤ダイヤルを防止し、内線電話機の操作を正確かつ使い勝手の良いものにすることができるという有利な効果が得られる。
【図面の簡単な説明】
【図１】本発明による電話交換機の一実施の形態を示すブロック図
【図２】メモリの内部構成を示す図
【図３】メモリの内部構成を示す図
【図４】メモリの内部構成を示す図
【図５】メモリの内部構成を示す図
【図６】本発明の電話機表示制御方法を示すシーケンス図
【図７】本発明の電話機表示制御方法を示すシーケンス図
【図８】本発明の電話機表示制御方法を示すシーケンス図
【図９】従来の内線電話機の制御手順を示すシーケンス図
【図１０】従来のプリセットダイヤル時の制御手順を示すシーケンス図
【符号の説明】
１  電話交換機
２  内線電話機
２ａ  表示器
３  外線
４  通話路スイッチ
５  中央制御装置
６  記憶装置（メモリ）
７  内線インターフェイス回路
８  外線インタフェース回路
【図１】
0004357644.tif 000002
【図２】
0004357644.tif 000003
【図３】
0004357644.tif 000004
【図４】
0004357644.tif 000005
【図５】
0004357644.tif 000006
【図６】
0004357644.tif 000007
【図７】
0004357644.tif 000008
【図８】
0004357644.tif 000009
【図９】
0004357644.tif 000010
【図１０】
0004357644.tif 000011